(57)【特許請求の範囲】
【請求項１】
洗面台の上方に配置されるキャビネットであって、
収納空間を有するキャビネット本体と、
底面が略水平となる状態で前記収納空間に配置される収納トレーと、
前記底面に載置されるアタッチメントであって後方に向かって上方へ傾斜した傾斜面を有するアタッチメントと、
を備え、
前記アタッチメントが前記底面に載置された状態において前記アタッチメントの上部に前方の成分を有する方向へ力が作用した際に、前記アタッチメントが前方の成分を有する方向へ回転することを抑制する回転抑制手段が設けられたことを特徴とするキャビネット。
【請求項２】
前記回転抑制手段は、
前記アタッチメントに設けられ、前記アタッチメントの上部に前方の成分を有する方向へ力が作用した際に、前記収納トレーおよび前記キャビネット本体の少なくともいずれか一方に当たる第１の当接部と、
前記アタッチメントに設けられ、かつ、前記第１の当接部よりも後方かつ下方に設けられた第２当接部であって、前記アタッチメントが前方の成分を有する方向へ回転すると前記収納トレーおよび前記キャビネット本体の少なくともいずれか一方に当たる第２の当接部と、
を有し、
前記アタッチメントが前方の成分を有する方向へ回転すると、前記第１の当接部および前記第２の当接部のそれぞれが当接する前記収納トレーもしくは前記キャビネット本体によって、前記第１の当接部と前記第２の当接部との間の前後方向における距離が変化しないように規制することで、前記アタッチメントが前方の成分を有する方向へ回転することを抑制することを特徴とする請求項１記載のキャビネット。
【請求項３】
前記第１の当接部は、前記アタッチメントの前方側に設けられ、かつ、前記第２の当接部は、前記アタッチメントの後方側に設けられることを特徴とする請求項２記載のキャビネット。
【請求項４】
前記収納トレーは、前記キャビネット本体に対し着脱自在に構成されており、
前記第１の当接部および前記第２の当接部は両者とも前記収納トレーに当接することを特徴とする請求項３記載のキャビネット。
【請求項５】
前記アタッチメントは、後方部の上端に設けられた上端部であって後方に向かって延びる上端部を有することを特徴とする請求項２〜４のいずれか１つに記載のキャビネット。
【請求項６】
洗面台の上方に配置されるキャビネットの収納空間に配置される収納トレーの底面に載置されるアタッチメントであって、
後方に向かって上方へ傾斜した傾斜面と、
前記底面に載置された状態において上部に前方の成分を有する方向へ力が作用した際に、前方の成分を有する方向へ回転することを抑制する回転抑制手段と、
を備え、
前記回転抑制手段は、
前記上部に前方の成分を有する方向へ力が作用した際に、前記収納トレーおよび前記キャビネットの少なくともいずれか一方に当たる第１の当接部と、
前記第１の当接部よりも後方かつ下方に設けられ、前方の成分を有する方向へ回転すると前記収納トレーおよび前記キャビネットの少なくともいずれか一方に当たる第２の当接部と、
を有することを特徴とするアタッチメント。
【発明の詳細な説明】
【技術分野】
【０００１】
本発明の態様は、一般的に、キャビネットおよびアタッチメントに関する。
【背景技術】
【０００２】
例えば、複数のトレイが収納空間における好みの高さに設置可能とされた収納ユニットがある（特許文献１）。特許文献１に記載された収納ユニットでは、トレイは、底面が略水平となった状態で収納空間に配置される。そのため、比較的倒れやすい細長い小物（例えば口紅やリップクリームなど）が使用者の目線よりも高い位置に配置されたトレイに横向きに収納されると、その使用者は、トレイに収納された小物を視認できない。そのため、細長い小物を収納する使用者にとっては使い勝手があまり良くないという点において、改善の余地がある。
【０００３】
これに対して、傾斜板状に形成された複数の格子が収納空間において並列に配設されたミラーキャビネットがある（特許文献２）。これによれば、細長い小物を傾斜板状の格子に沿って立てた状態で収納することができるため、視認性の向上を図ることができる。
【０００４】
しかし、細長い小物を収納しない使用者にとっては、傾斜した底面を有する収納トレーは不要であり、略水平の底面を有する収納トレーが好まれることがある。そこで、略水平の底面を有する収納トレーに、収納物の載置面を傾斜化するアタッチメントを載置し、傾斜面を形成可能とする１つの手段が挙げられる。これによれば、使用者は、使用者自身の好みに応じた収納形態を選択することができる。
【０００５】
しかし、この手段によれば、アタッチメントを収納トレーに載置するだけであるため、アタッチメントの着脱は容易である一方で、新たな課題が生ずることが分かった。すなわち、小物の上端に掛けようとした使用者の指が誤ってアタッチメントの上端に掛かると、アタッチメントが回転し、アタッチメントに並んで収納された複数の細長い小物の全てが落下するおそれがあるという新たな課題が生ずることが分かった。
【先行技術文献】
【特許文献】
【０００６】
【特許文献１】特開２００８−１２５６３５号公報
【特許文献２】実開昭５８−４８８９１号公報
【発明の概要】
【発明が解決しようとする課題】
【０００７】
本発明は、かかる課題の認識に基づいてなされたものであり、底面が略水平となる状態で収納空間に配置される収納トレーに、収納物の載置面を傾斜化するアタッチメントを載置する場合であっても、アタッチメントに載置した収納物の落下を抑えることができるキャビネットおよびアタッチメントを提供することを目的とする。
【課題を解決するための手段】
【０００８】
第１の発明は、洗面台の上方に配置されるキャビネットであって、収納空間を有するキャビネット本体と、底面が略水平となる状態で前記収納空間に配置される収納トレーと、前記底面に載置されるアタッチメントであって後方に向かって上方へ傾斜した傾斜面を有するアタッチメントと、を備え、前記アタッチメントが前記底面に載置された状態において前記アタッチメントの上部に前方の成分を有する方向へ力が作用した際に、前記アタッチメントが前方の成分を有する方向へ回転することを抑制する回転抑制手段が設けられたことを特徴とするキャビネットである。
【０００９】
このキャビネットによれば、アタッチメントは、後方に向かって上方へ傾斜した傾斜面を有するため、収納物の載置面を傾斜化することができる。そのため、細長い小物の視認性の向上を図ることができるとともに、使用者の好みに応じた収納形態を実現することができる。  
また、アタッチメントが収納トレーに載置され、収納トレーには固定されていないため、アタッチメントの着脱が容易であり、使用者の好みに応じた収納形態を比較的簡単に実現することができる。  
また、使用者が収納物の載置面に並んで収納された複数の細長い小物を取り出す際に、使用者の指がアタッチメントの上部にかかっても、収納物の落下を抑えることができる。
【００１０】
第２の発明は、第１の発明において、前記回転抑制手段は、  前記アタッチメントに設けられ、前記アタッチメントの上部に前方の成分を有する方向へ力が作用した際に、前記収納トレーおよび前記キャビネット本体の少なくともいずれか一方に当たる第１の当接部と、前記アタッチメントに設けられ、かつ、前記第１の当接部よりも後方かつ下方に設けられた第２当接部であって、前記アタッチメントが前方の成分を有する方向へ回転すると前記収納トレーおよび前記キャビネット本体の少なくともいずれか一方に当たる第２の当接部と、を有し、前記アタッチメントが前方の成分を有する方向へ回転すると、前記第１の当接部および前記第２の当接部のそれぞれが当接する前記収納トレーもしくは前記キャビネット本体によって、前記第１の当接部と前記第２の当接部との間の前後方向における距離が変化しないように規制することで、前記アタッチメントが前方の成分を有する方向へ回転することを抑制することを特徴とするキャビネットである。
【００１１】
このキャビネットによれば、アタッチメントが前方の成分を有する方向へ回転するときに、収納トレーおよびキャビネット本体の少なくともいずれか一方によって、第１の当接部と第２の当接部との間の前後方向における距離が変化しないように規制することでアタッチメントが前方の成分を有する方向へ回転することを抑制できる。そのため、アタッチメントを収納トレーに固定する作業を必要とせず、より簡単な構造でアタッチメントの回転を抑制することができる。
【００１２】
第３の発明は、第２の発明において、前記第１の当接部は、前記アタッチメントの前方側に設けられ、かつ、前記第２の当接部は、前記アタッチメントの後方側に設けられることを特徴とするキャビネットである。
【００１３】
このキャビネットによれば、第１の当接部と第２の当接部との間の前後方向における距離をより確実に長く確保できる。したがって、アタッチメントが前方の成分を有する方向へ回転しようとしたときの前後方向における第１の当接部および第２の当接部との間の距離の変化を大きくでき、第１の当接部および第２の当接部をそれぞれの当接対象へ当接させやすくなるため、より確実にアタッチメントの回転を抑制することができる。
【００１４】
第４の発明は、第３の発明は、前記収納トレーは、前記キャビネット本体に対し着脱自在に構成されており、前記第１の当接部および前記第２の当接部は両者とも前記収納トレーに当接することを特徴とするキャビネットである。
【００１５】
このキャビネットによれば、第１の当接部および第２の当接部は両者とも収納トレーに当接するため、アタッチメントを載置した状態で収納トレーをキャビネット本体から取り外して使用した場合でも、アタッチメントの回転を抑制することができる。
【００１６】
第５の発明は、第２〜４のいずれか１つの発明において、前記アタッチメントは、後方部の上端に設けられた上端部であって後方に向かって延びる上端部を有することを特徴とするキャビネットである。
【００１７】
このキャビネットによれば、アタッチメントの上端部が後方に向かって延びているため、延びていない場合と比較すると、使用者の指が、アタッチメントの上端部に掛かったとしても、上端部の上面を指が滑りやすい。そのため、第１の当接部と第２の当接部のそれぞれを収納トレーもしくはキャビネット本体に当てることでアタッチメントの回転の抑制を図る場合であっても、それぞれの当接部とその当接対象との間に大きい負荷がかかりにくい。そのため、アタッチメントが破損することを抑えることができる。
【００１８】
第６の発明は、洗面台の上方に配置されるキャビネットの収納空間に配置される収納トレーの底面に載置されるアタッチメントであって、後方に向かって上方へ傾斜した傾斜面と、前記底面に載置された状態において上部に前方の成分を有する方向へ力が作用した際に、前方の成分を有する方向へ回転することを抑制する回転抑制手段と、を備え、前記回転抑制手段は、前記上部に前方の成分を有する方向へ力が作用した際に、前記収納トレーおよび前記キャビネットの少なくともいずれか一方に当たる第１の当接部と、前記第１の当接部よりも後方かつ下方に設けられ、前方の成分を有する方向へ回転すると前記収納トレーおよび前記キャビネットの少なくともいずれか一方に当たる第２の当接部と、を有することを特徴とするアタッチメントである。
【００１９】
このアタッチメントによれば、アタッチメントは、後方に向かって上方へ傾斜した傾斜面を有するため、収納物の載置面を傾斜化することができる。そのため、細長い小物の視認性の向上を図ることができるとともに、使用者の好みに応じた収納形態を実現することができる。  
また、アタッチメントが収納トレーに載置され、収納トレーには固定されていないため、アタッチメントの着脱が容易であり、使用者の好みに応じた収納形態を比較的簡単に実現することができる。  
また、使用者が収納物の載置面に並んで収納された複数の細長い小物を取り出す際に、使用者の指がアタッチメントの上部にかかっても、第１の当接部および第２の当接部がそれぞれ、収納トレーおよびキャビネット本体の少なくともいずれか一方に当接することで、アタッチメントの前方の成分を有する方向への回転が抑制されるため、収納物の落下を抑えることができる。
【発明の効果】
【００２０】
本発明の態様によれば、底面が略水平となる状態で収納空間に配置される収納トレーに、収納物の載置面を傾斜化するアタッチメントを載置する場合であっても、アタッチメントに載置した収納物の落下を抑えることができるキャビネットおよびアタッチメントが提供される。
【図面の簡単な説明】
【００２１】
【図１】本発明の実施の形態にかかるキャビネットを表す模式的斜視図である。
【図２】図１に表した領域Ａ１を拡大して表した模式的拡大図である。
【図３】本実施形態の収納トレーを表す模式的斜視図である。
【図４】本実施形態のアタッチメントを表す模式的斜視図である。
【図５】本実施形態にかかるキャビネットを表す模式的平面図である。
【図６】図５に表した切断面Ｂ−Ｂにおける模式的断面図である。
【図７】本実施形態の回転抑制手段を説明する模式的断面図である。
【図８】本実施形態の回転抑制手段の変形例を説明する模式的断面図である。
【図９】本実施形態の回転抑制手段の他の変形例を説明する模式的断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかるキャビネットを表す模式的斜視図である。  
図２は、図１に表した領域Ａ１を拡大して表した模式的拡大図である。  
図３は、本実施形態の収納トレーを表す模式的斜視図である。  
図４は、本実施形態のアタッチメントを表す模式的斜視図である。
【００２３】
図１に表したように、本実施形態にかかるキャビネット１００は、キャビネット本体１１０と、扉１２０と、収納トレー１３０と、アタッチメント１４０と、照明部１５０と、を備える。例えば、キャビネット１００は、洗面化粧台１０に用いられ、一般的には、洗面台２１０の上方に配置される。
【００２４】
本願明細書において、「上方」とは、鉛直方向であってキャビネット１００の使用者からみて上側の方向をいう。本願明細書において、「下方」とは、鉛直方向であってキャビネット１００の使用者からみて下側の方向をいう。本願明細書において、「右側方」とは、水平方向であってキャビネット１００に向かう使用者からみて右側の方向をいう。本願明細書において、「左側方」とは、水平方向であってキャビネット１００に向かう使用者からみて左側の方向をいう。本願明細書において、「前方」とは、水平方向であってキャビネット１００に向かう使用者からみて手前側の方向をいう。本願明細書において、「後方」とは、水平方向であってキャビネット１００に向かう使用者からみて奥側の方向をいう。
【００２５】
キャビネット本体１１０は、上パネル１１１と、下パネル１１２と、左パネル１１３と、右パネル１１４と、仕切パネル１１５と、後パネル１１６と、を有する。上パネル１１１は、キャビネット本体１１０の上部において左右方向に延びている。下パネル１１２は、キャビネット本体１１０の下部において左右方向に延びている。左パネル１１３は、キャビネット本体１１０の左側の部分において上下方向に延びている。右パネル１１４は、キャビネット本体１１０の右側の部分において上下方向に延びている。仕切パネル１１５は、左パネル１１３と右パネル１１４との間において上下方向に延びている。
【００２６】
図１に表したキャビネット本体１１０は、２つの仕切パネル１１５を有している。但し、本実施形態りキャビネット本体１１０は、２つの仕切パネル１１５を有することには限定されず、例えば１つの仕切パネル１１５を有していてもよいし、３つ以上の仕切パネル１１５を有していてもよい。
【００２７】
図１に表したキャビネット１００では、上パネル１１１と、下パネル１１２と、後パネル１１６と、左パネル１１３と、左側の仕切パネル１１５と、で囲まれた領域において収納空間１０１（図１では左側の収納空間）が形成されている。上パネル１１１と、下パネル１１２と、後パネル１１６と、左側の仕切パネル１１５と、右側の仕切パネル１１５と、で囲まれた領域において収納空間１０１（図１では中央の収納空間）が形成されている。上パネル１１１と、下パネル１１２と、後パネル１１６と、右側の仕切パネル１１５、右パネル１１４と、で囲まれた領域において収納空間１０１（図１では右側の収納空間）が形成されている。
【００２８】
図１および図２に表したように、左パネル１１３は、溝１１３ａを有する。右パネル１１４は、溝１１４ａを有する。仕切パネル１１５は、溝１１５ａを有する。溝１１３ａ、１１４ａ、１１５ａは、収納空間１０１の内側に設けられ、前後方向に延びている。
【００２９】
扉１２０は、収納空間１０１の前方に設けられている。扉１２０は、キャビネット本体１１０および扉１２０に固定されたヒンジ１２１により開閉可能とされている。図１に表したように、扉１２０が開いた状態では、収納空間１０１の前方が開いている。閉じられた状態の扉１２０の前方部には、例えば鏡などが設けられていてもよい。
【００３０】
照明部１５０は、上パネル１１１に設けられ、キャビネット１００の前方に光を照射する。
【００３１】
図３に表したように、収納トレー１３０は、底部１３１と、前壁部１３２と、後壁部１３３と、左壁部１３４と、右壁部１３５と、を有し、キャビネット本体１１０に対して着脱可能とされている。底部１３１は、収納トレー１３０の底面１３１ａを形成する。収納トレー１３０がキャビネット本体１１０に取り付けられた状態では、底面１３１ａは、略水平となる（図６参照）。前壁部１３２は、底部１３１の前方部に接続され、底部１３１からみて略垂直に延びている。後壁部１３３は、底部１３１の後方部に接続され、底部１３１からみて略垂直に延びている。左壁部１３４は、底部１３１の左側方部に接続され、底部１３１からみて略垂直に延びている。右壁部１３５は、底部１３１の右側方部に接続され、底部１３１からみて略垂直に延びている。収納トレー１３０がキャビネット本体１１０に取り付けられた状態では、前壁部１３２と、後壁部１３３と、左壁部１３４と、右壁部１３５と、のそれぞれは、略鉛直に延びている。
【００３２】
収納トレー１３０は、左突起部１３６と、右突起部１３７と、をさらに有する。左突起部１３６は、左壁部１３４の外側の面に付設され、固定部１３６ａと、撓み部１３６ｂと、を有する。固定部１３６ａは、左壁部１３４の外側の面に付設されている。撓み部１３６ｂは、左壁部１３４の外側の面には設けられておらず、固定部１３６ａに設けられている。図３に表した収納トレー１３０では、２つの撓み部１３６ｂが固定部１３６ａの両側（収納トレー１３０がキャビネット本体１１０に取り付けられた状態において前側および後側）に設けられている。
【００３３】
右突起部１３７は、右壁部１３５の外側の面に付設され、固定部１３７ａと、撓み部１３７ｂと、を有する。固定部１３７ａは、右壁部１３５の外側の面に付設されている。撓み部１３７ｂは、右壁部１３５の外側の面には取り付けられておらず、固定部１３７ａに取り付けられている。図３に表した収納トレー１３０では、２つの撓み部１３７ｂが固定部１３７ａの両側（収納トレー１３０がキャビネット本体１１０に取り付けられた状態において前側および後側）に設けられている。
【００３４】
左突起部１３６の構造は、右突起部１３７の構造と左右対称であるため、収納トレー１３０の取り付けに関する説明では、右突起部１３７を例に挙げる。  
図２に表したように、収納トレー１３０は、右突起部１３７が仕切パネル１１５の溝１１５ａに挿入されることでキャビネット本体１１０に取り付けられる。収納トレー１３０がキャビネット本体１１０に取り付けられた状態では、右突起部１３７は、溝１１５ａの内部を突っ張っている。
【００３５】
具体的には、収納トレー１３０がキャビネット本体１１０に取り付けられた状態では、右突起部１３７の固定部１３７ａは、撓み部１３７ｂが撓むことで溝１１５ａの下面を下方へ押している。収納トレー１３０がキャビネット本体１１０に取り付けられた状態では、右突起部１３７の撓み部１３７ｂは、撓み部１３７ｂ自身が撓むことで溝１１５ａの上面を上方へ押している。これにより、収納トレー１３０は、所定の摩擦力によりキャビネット本体１１０に取り付けられる。また、図１および図２に表したように、複数の溝１１３ａ、複数の溝１１４ａ、および複数の溝１１５ａが上下方向に並んで設けられているため、収納トレー１３０は、収納空間１０１における好みの高さに設置可能とされている。
【００３６】
なお、図２に表した例では、左突起部１３６は、左パネル１１３の溝１１３ａに挿入される。  
収納トレー１３０が中央の収納空間１０１に配置される場合には、左突起部１３６は、左側の仕切パネル１１５の溝１１５ａに挿入され、右突起部１３７は、右側の仕切パネル１１５の溝１１５ａに挿入される。収納トレー１３０が右側の収納空間１０１に配置される場合には、左突起部１３６は、右側の仕切パネル１１５の溝１１５ａに挿入され、右突起部１３７は、右パネル１１４の溝１１４ａに挿入される。
【００３７】
ここで、比較的倒れやすい細長い小物（例えば口紅やリップクリームなど）が使用者の目線よりも高い位置に配置された収納トレー１３０に横向きに収納されると、その使用者は、収納トレーに収納された小物を視認できない。
【００３８】
これに対して、図１および図２に表したように、本実施形態にかかるキャビネット１００は、アタッチメント１４０を備える。アタッチメント１４０は、収納トレー１３０に載置されている。図４に表したように、アタッチメント１４０は、基部１４１と、傾斜部１４３と、を有する。基部１４１は、第１の端部１４１ａと、第２の端部１４１ｂと、を有し、傾斜部１４３を支持する。第１の端部１４１ａは、基部１４１の前方の端部に設けられている。第２の端部１４１ｂは、基部１４１の後方の端部に設けられている。傾斜部１４３は、傾斜面１４３ａと、突出部１４３ｂと、受け部１４３ｃと、前端部１４３ｄと、上端部１４３ｅと、を有し、基部１４１に支持されている。前端部１４３ｄは、傾斜部１４３の前方部の端部に設けられている。前端部１４３ｄは、第２の端部１４１ｂよりも前方かつ上方に設けられている。言い換えれば、第２の端部１４１ｂは、前端部１４３ｄよりも後方かつ下方に設けられている。上端部１４３ｅは、傾斜部１４３の後方部の上端に設けられている。
【００３９】
収納トレー１３０がキャビネット本体１１０に取り付けられた状態において、傾斜面１４３ａは、後方に向かって上方へ傾斜している。突出部１４３ｂは、上方へ突出した形状を有する。傾斜面１４３ａと突出部１４３ｂとにより形成される傾斜部１４３の上面は波状に形成されている。また、受け部１４３ｃは、突出部１４３ｂおよび傾斜面１４３ａに対して略垂直に延びている。これにより、図２に表したように、使用者は、細長い小物２０１を傾斜部１４３の傾斜面１４３ａに沿って立てた状態で収納することができる。つまり、収納トレー１３０がキャビネット本体１１０に取り付けられた状態であって細長い小物２０１が傾斜面１４３ａに沿って立てられた状態において、突出部１４３ｂおよび受け部１４３ｃは、細長い小物２０１が左右方向に倒れることを抑制する。これにより、細長い小物２０１の視認性の向上を図ることができる。
【００４０】
ここで、細長い小物を収納しない使用者にとっては、傾斜した底面を有する収納トレーは不要であり、略水平の底面を有する収納トレーが好まれることがある。
【００４１】
これに対して、本実施形態では、アタッチメント１４０は、収納トレー１３０に載置され、収納トレー１３０には固定されていない。アタッチメント１４０は、収納トレー１３０に対して着脱可能とされている。これにより、使用者は、アタッチメント１４０を収納トレー１３０に載置したり、アタッチメント１４０を収納トレー１３０に載置しないことにより、使用者自身の好みに応じた収納形態を選択することができる。
【００４２】
ここで、アタッチメントが収納トレーに固定されず載置された状態では、アタッチメントの着脱は容易である一方で、新たな課題が生ずることが分かった。すなわち、小物の上端に掛けようとした使用者の指が誤ってアタッチメントの上端に掛かると、アタッチメントが回転し、アタッチメントに並んで収納された複数の細長い小物の全てが落下するおそれがあるという新たな課題が生ずることが分かった。
【００４３】
これに対して、本実施形態のアタッチメント１４０は、回転抑制手段１４９を有する。回転抑制手段１４９は、アタッチメント１４０が収納トレー１３０に載置された状態において、アタッチメント１４０が前方の成分を有する方向へ回転することを抑制する。
【００４４】
本実施形態によれば、アタッチメント１４０は、収納物の載置面を傾斜化することができる。そのため、細長い小物２０１の視認性の向上を図ることができるとともに、使用者の好みに応じた収納形態を実現することができる。  
また、アタッチメント１４０が収納トレー１３０に載置され、収納トレー１３０には固定されていないため、アタッチメント１４０の着脱が容易であり、使用者の好みに応じた収納形態を比較的簡単に実現することができる。  
また、使用者が収納物の載置面に並んで収納された複数の細長い小物を取り出す際に、使用者の指がアタッチメント１４０の上端部１４３ｅにかかっても、収納物の落下を抑えることができる。
【００４５】
次に、本実施形態の回転抑制手段１４９について、図面を参照しつつさらに説明する。  図５は、本実施形態にかかるキャビネットを表す模式的平面図である。  
図６は、図５に表した切断面Ｂ−Ｂにおける模式的断面図である。  
図７は、本実施形態の回転抑制手段を説明する模式的断面図である。  
なお、図７は、図５に表した切断面Ｂ−Ｂにおける模式的断面図である。図７では、収納トレー１３０に載置されたアタッチメント１４０がわずかに回転した状態が、二点鎖線により描かれている。
【００４６】
図５に表したように、収納トレー１３０がキャビネット本体１１０に取り付けられた状態について説明する。図２のように、収納トレー１３０に複数の細長い小物２０１が横並びに収納されている場合、図６に表したように、使用者が細長い小物２０１の上端に指２０３を掛け細長い小物２０１を収納トレー１３０から取り出そうとしたときに、その指２０３がアタッチメント１４０の上端部１４３ｅに掛かると、わずかにアタッチメント１４０が前方へ移動して前端部１４３ｄの一部（第１の当接部）１４３ｆが前壁部１３２に当接し、図７に表した二点鎖線のアタッチメント１４０のように、アタッチメント１４０が傾斜部１４３の前端部１４３ｄを略中心として前方の成分を有する方向へ回転しようとする。
【００４７】
すると、図７に表したように、アタッチメント１４０の傾斜部１４３の前端部１４３ｄの一部１４３ｆと、アタッチメント１４０の基部１４１の第２の端部１４１ｂの一部（第２の当接部）１４１ｃと、の間の前後方向の距離は、アタッチメント１４０が回転する前（アタッチメント１４０が収納トレー１３０に載置された状態）と比較して長くなる（距離Ｄ２＞距離Ｄ１）。そのため、アタッチメント１４０が前端部１４３ｄを略中心として前方の成分を有する方向へ回転しようとすると、アタッチメント１４０の基部１４１の第２の端部１４１ｂの一部１４１ｃが収納トレー１３０の後壁部１３３の内側の面と当たる。
【００４８】
これにより、アタッチメント１４０が前端部１４３ｄを略中心として前方の成分を有する方向へ回転しようとしても、収納トレー１３０の前壁部１３２および後壁部１３３により、前端部１４３ｄの一部１４３ｆと第２の端部１４１ｂの一部１４１ｃとの間の前後方向における距離が増大しないように（変化しないように）規制されるため、アタッチメント１４０が前方の成分を有する方向へ回転することを抑制することができる。つまり、アタッチメント１４０の傾斜部１４３の前端部１４３ｄの一部１４３ｆと、アタッチメント１４０の基部１４１の第２の端部１４１ｂの一部１４１ｃと、は、本実施形態の回転抑制手段１４９として機能する。
【００４９】
本実施形態によれば、前端部１４３ｄの一部１４３ｆと、第２の端部１４１ｂの一部１４１ｃと、の間の前後方向における距離の変化を利用して第２の端部１４１ｂの一部１４１ｃを収納トレー１３０の後壁部１３３に当てる。そのため、アタッチメント１４０を収納トレー１３０に固定する作業を必要とせず、より簡単な構造でアタッチメント１４０の回転を抑制することができる。
【００５０】
なお、アタッチメント１４０の傾斜部１４３の前端部１４３ｄの一部１４３ｆは、収納トレー１３０の前壁部１３２に当たることには限定されない。例えば、前端部１４３ｄの一部１４３ｆが当たる所は、収納トレー１３０の他の部分でも良いし、キャビネット本体１１０でも構わない。同様に、アタッチメント１４０の第２の端部１４１ｂの一部１４１ｃは、収納トレー１３０の後壁部１３３に当たることには限定されない。例えば、第２の端部１４１ｂの一部１４１ｃが当たる所は、収納トレー１３０の他の部分でも良いし、キャビネット本体１１０でも構わない。前端部１４３ｄの一部１４３ｆも第２の端部１４１ｂの一部１４１ｃも、アタッチメント１４０の回転を抑制できるようにさえ当接していれば良い。
【００５１】
図６に表したように、アタッチメント１４０の傾斜部１４３の上端部１４３ｅは、後方に向かって延びている。これにより、上端部１４３ｅの後端が、より小物２０１の上端から後方に遠ざかるため、指２０３が小物２０１の上端に引っかかりづらい。また、収納トレー１３０がキャビネット本体１１０に取り付けられた状態において、アタッチメント１４０の傾斜部１４３の上端部１４３ｅは、後方に向かって延び、キャビネット本体１１０の後パネル１１６と当接している、あるいはキャビネット本体１１０の後パネル１１６に近接している。そのため、使用者の指２０３は、アタッチメント１４０の上端部１４３ｅと、キャビネット本体１１０の後パネル１１６と、の間には入らない、あるいは入りにくい。
【００５２】
これにより、上端部１４３ｅが後方に向かって延びていない場合と比較すると、使用者の指２０３は、アタッチメント１４０の上端部１４３ｅには掛かりにくい。そのため、アタッチメント１４０の前端部１４３ｄの一部１４３ｆと、アタッチメント１４０の第２の端部１４１ｂの一部１４１ｃと、を収納トレー１３０に当てることでアタッチメント１４０の回転の抑制を図る場合であっても、収納トレー１３０およびアタッチメント１４０に大きい負荷がかかりにくい。そのため、収納トレー１３０およびアタッチメント１４０が破損することを抑えることができる。
【００５３】
図８は、本実施形態の回転抑制手段の変形例を説明する模式的断面図である。  
本変形例では、キャビネット本体１１０の後パネル１１６は、収納空間１０１の内側に向かって突出したストッパ部１１６ａを有する。
【００５４】
アタッチメント１４０が傾斜部１４３の前端部１４３ｄを略中心として前方の成分を有する方向へ回転しようとすると、アタッチメント１４０の傾斜部１４３の前端部１４３ｄの一部１４３ｆと、アタッチメント１４０の基部１４１の第２の端部１４１ｂの一部１４１ｃと、の間の前後方向の距離は、アタッチメント１４０が回転する前（アタッチメント１４０が収納トレー１３０に載置された状態）と比較して長くなる（距離Ｄ４＞距離Ｄ３）。これは、図５〜図７に関して前述した通りである。
【００５５】
すると、本変形例では、図８に表した二点鎖線の第２の端部１４１ｂのように、アタッチメント１４０の基部１４１の第２の端部１４１ｂの一部１４１ｃが後パネル１１６のストッパ部１１６ａと当たる。これにより、アタッチメント１４０が前方の成分を有する方向へ回転することを抑制することができる。つまり、アタッチメント１４０の基部１４１の第２の端部１４１ｂの一部１４１ｃは、収納トレー１３０の後壁部１３３と当たることには限定されず、後パネル１１６に設けられたストッパ部１１６ａと当たってもよい。本変形例においても、アタッチメント１４０の回転を抑制することができる。
【００５６】
なお、ストッパ部１１６ａはキャビネット本体１１０の一部であるため、第２の端部１４１ｂの一部１４１ｃがストッパ部１１６ａと当たることは、第２の端部１４１ｂの一部１４１ｃがキャビネット本体１１０と当たることに相当する。
【００５７】
図９は、本実施形態の回転抑制手段の他の変形例を説明する模式的断面図である。  
本変形例では、収納トレー１３０ａは、凹部１３９を有する。凹部１３９は、底部１３１と前壁部１３２とに接続されている。凹部１３９の表面１３９ａは、収納トレー１３０ａの底部１３１の底面１３１ａからみて下方に設けられている。収納トレー１３０ａの他の構造は、図３に関して前述した収納トレー１３０の構造と同じである。
【００５８】
本変形例では、アタッチメント１４０ａは、凸部１４５を有する。凸部１４５は、基部１４１に接続され、基部１４１からみて下方へ突出している。凸部１４５は、第３の端部１４５ａを有する。第３の端部１４５ａは、凸部１４５の後方の端部に設けられている。アタッチメント１４０ａの他の構造は、図４に関して前述したアタッチメント１４０の構造と同じである。
【００５９】
図９に表したように、アタッチメント１４０ａが収納トレー１３０ａに載置された状態では、アタッチメント１４０ａの凸部１４５は、収納トレー１３０ａの凹部１３９に嵌まっている。  
アタッチメント１４０ａが傾斜部１４３の前端部１４３ｄを略中心として前方の成分を有する方向へ回転しようとすると、アタッチメント１４０ａの傾斜部１４３の前端部１４３ｄの一部１４３ｆと、アタッチメント１４０ａの凸部１４５の第３の端部１４５ａの一部（第２の当接部）１４５ｂと、の間の前後方向の距離は、アタッチメント１４０ａが回転する前（アタッチメント１４０ａが収納トレー１３０ａに載置された状態）と比較して長くなる（距離Ｄ６＞距離Ｄ５）。
【００６０】
そのため、本変形例では、アタッチメント１４０ａが前端部１４３ｄを略中心として前方の成分を有する方向へ回転しようとすると、図９に表した二点鎖線の第３の端部１４５ａのように、アタッチメント１４０ａの凸部１４５の第３の端部１４５ａの一部１４５ｂが収納トレー１３０ａの凹部１３９の後壁部１３９ｂの内側の面と当たる。
【００６１】
これにより、アタッチメント１４０ａが前端部１４３ｄを略中心として前方の成分を有する方向へ回転しようとしても、収納トレー１３０ａの前壁部１３２および収納トレー１３０ａの凹部１３９の後壁部１３９ｂにより、前端部１４３ｄの一部１４３ｆと第３の端部１４５ａの一部１４５ｂとの間の前後方向における距離が増大しないように（変化しないように）規制されるため、アタッチメント１４０ａが前方の成分を有する方向へ回転することを抑制することができる。つまり、本具体例では、アタッチメント１４０ａの傾斜部１４３の前端部１４３ｄの一部１４３ｆと、アタッチメント１４０ａの凸部１４５の第３の端部１４５ａの一部１４５ｂと、は、本実施形態の回転抑制手段１４９として機能する。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１００、収納トレー１３０、およびアタッチメント１４０などが備える各要素の形状、寸法、材質、配置などや回転抑制手段１４９の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１０ 洗面化粧台、  １００ キャビネット、  １０１ 収納空間、  １１０ キャビネット本体、  １１１ 上パネル、  １１２ 下パネル、  １１３ 左パネル、  １１３ａ 溝、  １１４ 右パネル、  １１４ａ 溝、  １１５ 仕切パネル、  １１５ａ 溝、  １１６ 後パネル、  １１６ａ ストッパ部、  １２０ 扉、  １２１ ヒンジ、  １３０、１３０ａ 収納トレー、  １３１ 底部、  １３１ａ 底面、  １３２ 前壁部、  １３３ 後壁部、  １３４ 左壁部、  １３５ 右壁部、  １３６ 左突起部、  １３６ａ 固定部、  １３６ｂ 撓み部、  １３７ 右突起部、  １３７ａ 固定部、  １３７ｂ 撓み部、  １３９ 凹部、  １３９ａ 表面、  １３９ｂ 後壁部、  １４０、１４０ａ アタッチメント、  １４１ 基部、  １４１ａ 第１の端部、  １４１ｂ 第２の端部、  １４１ｃ 一部、  １４３ 傾斜部、  １４３ａ 傾斜面、  １４３ｂ 突出部、  １４３ｃ 受け部、  １４３ｄ 前端部、  １４３ｅ 上端部、  １４３ｆ 一部、  １４５ 凸部、  １４５ａ 第３の端部、  １４５ｂ 一部、  １４９ 回転抑制手段、  １５０ 照明部、  ２０１ 小物、  ２０３ 指、  ２１０ 洗面台
【図１】
0006471583.tif 000002
【図２】
0006471583.tif 000003
【図３】
0006471583.tif 000004
【図４】
0006471583.tif 000005
【図５】
0006471583.tif 000006
【図６】
0006471583.tif 000007
【図７】
0006471583.tif 000008
【図８】
0006471583.tif 000009
【図９】
0006471583.tif 000010